(57)【特許請求の範囲】
【請求項１】
正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置であって、前記縦枠部材には上下方向に沿って前後左右に４条の凹溝を形成し、前記スクリーン素材の端部を後方の凹溝内に埋設して張設し、前記ブラケット部材に設けた垂直な断面略コ字形のガイド部で前記スクリーン素材とは反対側から前記縦枠部材を抱持するとともに、残り３条の凹溝の内、互いに直交する２条の凹溝内に、前記ガイド部内に軸を直交させて突設した複数のローラをそれぞれ回転可能に嵌合し、更に残り１条の凹溝内の底面に沿って一定間隔で設けた複数の係合凹部と前記ガイド部内に突設したボールプランジャーのボールとを係合可能となすとともに、前記ローラが嵌合した何れか１条の凹溝内の底面に前記係合凹部と等ピッチで形成した係合孔に、前記ガイド部に螺合した回転把手付きの止めネジを嵌入してなることを特徴とするデスクパネル装置。
【請求項２】
正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置であって、前記縦枠部材には上下方向に沿って前後左右に４条の凹溝を形成し、前記スクリーン素材の端部を後方の凹溝内に埋設して張設し、前記ブラケット部材に設けた垂直な断面略コ字形のガイド部で前記スクリーン素材とは反対側から前記縦枠部材を抱持するとともに、残り３条の凹溝の内、互いに直交する２条の凹溝内に、前記ガイド部内に軸を直交させて突設した複数のローラをそれぞれ回転可能に嵌合し、更に残り１条の凹溝内の底面に沿って一定間隔で係合突起を形成するとともに、前記ガイド部に該係合突起に係脱する係合爪を設けたラチェット機構を具備してなることを特徴とするデスクパネル装置。
【請求項３】
前記両ブラケット部材を連結杆で一体的に連結するとともに、該連結杆の両端部寄り位置に前記クランプ部材を取付けてなる請求項２記載のデスクパネル装置。
【発明の詳細な説明】
【０００１】
【発明の属する技術分野】
本発明は、デスク、テーブル、カウンター等（以下、これらを単にデスクという）の天板の後端に取付け、天板の後方で上下高さ変更可能となしたデスクパネル装置に関する。
【０００２】
【従来の技術】
従来から、デスク天板の後端に立設するフロントパネルや側端に立設するサイドパネルは公知であり、また背面合わせで設置したデスクの境界を仕切るために境界部に跨がって立設するデスクパネルも公知である。更に、高さが１０００〜１３００ｍｍ程度の間仕切パネルや衝立パネルを挟んで前後にデスクを配置したり、あるいは間仕切パネルにブラケットを介して天板を支持してパネル付きのデスクを構成し、天板の後部にパネルが上方突出状態で存在するようになしたものも公知である。また、デスクの天板下に、足入れ空間を目隠しするための幕板を取付けることも公知である。
【０００３】
しかし、公知のデスクパネル装置は、高さが固定されたものであるためパネルの高さを変えたい場合には、パネル自体を取り替える必要があってコスト高となる。また、デスクにパネルを取付ける構造のものは、デスク天板等にパネル取付構造を予め設けて置かなければならず、デスクのコスト上昇の要因となり、更にパネルを使用しない場合には全く不要なパネル取付構造が外観性を損なうことになる。
【０００４】
そこで、本出願人は、特開平１０−２０１５５７号公報にて開示される如く、正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置を提案した。
【０００５】
【発明が解決しようとする課題】
そこで、本発明が前述の状況に鑑み、解決しようとするところは、前述の公報記載のデスクパネル装置を更に改良し、パネル体をスムーズに上下スライド移動できるようにするとともに、所定の高さ位置で確実にパネル体を固定できるようになしたデスクパネル装置を提供する点にある。
【０００６】
【課題を解決するための手段】
前述の課題解決のためになした第１発明は、正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置であって、前記縦枠部材には上下方向に沿って前後左右に４条の凹溝を形成し、前記スクリーン素材の端部を後方の凹溝内に埋設して張設し、前記ブラケット部材に設けた垂直な断面略コ字形のガイド部で前記スクリーン素材とは反対側から前記縦枠部材を抱持するとともに、残り３条の凹溝の内、互いに直交する２条の凹溝内に、前記ガイド部内に軸を直交させて突設した複数のローラをそれぞれ回転可能に嵌合し、更に残り１条の凹溝内の底面に沿って一定間隔で設けた複数の係合凹部と前記ガイド部内に突設したボールプランジャーのボールとを係合可能となすとともに、前記ローラが嵌合した何れか１条の凹溝内の底面に前記係合凹部と等ピッチで形成した係合孔に、前記ガイド部に螺合した回転把手付きの止めネジを嵌入してなるデスクパネル装置である。
【０００７】
そして、第２発明は、正面視略四角形の枠体にスクリーン素材を張設してパネル体を形成し、前記枠体の両側縦枠部材にそれぞれ上下スライド可能にブラケット部材を取付けるとともに、該ブラケット部材にデスク天板の後端両側部に取付けるクランプ部材を固定し、前記パネル体をデスク天板の後方で上下高さ変更可能としてなるデスクパネル装置であって、前記縦枠部材には上下方向に沿って前後左右に４条の凹溝を形成し、前記スクリーン素材の端部を後方の凹溝内に埋設して張設し、前記ブラケット部材に設けた垂直な断面略コ字形のガイド部で前記スクリーン素材とは反対側から前記縦枠部材を抱持するとともに、残り３条の凹溝の内、互いに直交する２条の凹溝内に、前記ガイド部内に軸を直交させて突設した複数のローラをそれぞれ回転可能に嵌合し、更に残り１条の凹溝内の底面に沿って一定間隔で係合突起を形成するとともに、前記ガイド部に該係合突起に係脱する係合爪を設けたラチェット機構を具備してなるデスクパネル装置である。
【０００８】
ここで、前記両ブラケット部材を連結杆で一体的に連結するとともに、該連結杆の両端部寄り位置に前記クランプ部材を取付けてなることも好ましい。
【０００９】
【発明の実施の形態】
次に本発明の実施形態を添付図面に基づき更に詳細に説明する。図１〜図７は第１発明のデスクパネル装置を示し、図８〜図１５は第２発明のデスクパネル装置を示し、図中符号Ａはデスクパネル装置、Ｂはデスク、１はパネル体、２はブラケット部材、３はクランプ部材をそれぞれ示している。また、図１はパネル体１を高い状態に設定した場合、図２はパネル体１を低い状態に設定した場合を示している。
【００１０】
前記デスクパネル装置Ａは、正面視略四角形の枠体４にスクリーン素材５を張設してパネル体１を形成し、前記枠体４の両側縦枠部材６，６にそれぞれ上下スライド可能にブラケット部材２を取付けるとともに、該ブラケット部材２にデスク天板Ｂ１の後端両側部に取付けるクランプ部材３，３を固定し、前記パネル体１をデスク天板Ｂ１の後方で上下高さ変更可能としてなるものである。
【００１１】
更に詳しくは、前記パネル体１は、両縦枠部材６，６と上下の横枠部材７，７とを連結して正面視略四角形の枠体４を形成し、該枠体４にスクリーン素材５を張設したものである。前記枠体４を構成する縦枠部材６及び横枠部材７は、図３に示すように、合成樹脂製又はアルミニウム製の同一断面を有する押出し成形品であり、縦枠部材６及び横枠部材７には長手方向に沿って互いに直交する位置に４条の凹溝８，…を形成したものである。前記縦枠部材６及び横枠部材７を連結して構成した枠体４には、前後面側及び内外面側に凹溝８，…が形成され、特に縦枠部材６では前後左右に凹溝８が位置する。以下、縦枠部材６の後面側の凹溝８を８Ａ、外面側（右側の縦枠部材６では右面側）の凹溝８を８Ｂ、前面側の凹溝８を８Ｃ、内面側（右側の縦枠部材６では左面側）の凹溝８を８Ｄとする。そして、本実施形態では、枠体４の後面側の凹溝８Ａを利用して、合成樹脂製又はパンチングメタル等の金属製の板材、合成樹脂製や金属製のネット材又は布材からなるスクリーン素材５を、その端縁部を凹溝８Ａ内にパッキン材９と共に押し込んで張設して前記パネル体１を構成した。
【００１２】
前記ブラケット部材２は、後述のクランプ部材３を一体的に設けるための支持部１０と前記縦枠部材６を前面側から抱持する断面略コ字形のガイド部１１からなり、本実施形態では前記支持部１０に対して垂直にガイド部１１をネジ止め固定できるようになし、梱包時には支持部１０とガイド部１１を分離して嵩張らないようにしているが、支持部１０とガイド部１１は溶接によって一体化若しくは同一材料で一体的に構成しても良い。前記ガイド部１１は、前記縦枠部材６を受け入れるガイド溝１２を前面板１３、外面板１４及び内面板１５で後方開放して形成し、前面板１３の前面側に前記支持部１０の端部をネジ１６，１６で固定している。そして、前記ガイド部１１のガイド溝１２内には、前面板１３と外面板１４の上下両端部に互いに軸を直交させてローラ１７，…を突設し、各ローラ１７，…を前記縦枠部材６の凹溝８Ｂと凹溝８Ｃ内に回転可能に嵌合し、ガイド部１１に対して縦枠部材６を上下スライド可能に支持している。尚、前記ローラ１７は、ガイド部１１の所定位置に形成した螺孔１８に先端に支軸１９の基部に形成した螺軸１９Ａを外方から螺合し、該支軸１９の先端に形成した軸部１９Ｂをガイド溝１２内に突設し、該軸部１９Ｂに前記ローラ１７を回転可能に装着した。前記ローラ１７は、支軸１９の軸部１９Ｂに単に遊挿しただけでも、該ローラ１７が縦枠部材６の凹溝８内に位置し、しかも複数のローラ１７の軸を直交させているので、該ローラ１７が軸部１９Ｂから外れることはない。
【００１３】
更に、図６に示すように、前記ガイド部１１の凹溝８Ｄ内の底面には、上下方向に所定間隔毎、例えば一定間隔毎に複数の係合凹部２０，…を形成し、前記ガイド部１１の内面板１５に取付け、ガイド溝１２内に突設したボールプランジャー２１のボール２１Ａを前記係合凹部２０に係合可能となし、ガイド部１１に対する枠体４の高さ位置の位置決めを簡単にできるようにしている。本実施形態では、前記ボールプランジャー２１は上下の２ヵ所に設けている。尚、該ボールプランジャー２１も前記支軸１９と同様に、基部に形成した螺軸２１Ｂを前記ガイド部１１の内面板１５に形成した螺孔２２に螺合して取付け、先端のボール保持部２１Ｃをガイド溝１２内に突設し、該ボール保持部２１Ｃにボール２１Ａをコイルばね２１Ｄで弾性付勢し、凹溝８Ｄの底面に押圧するようになしたものである。
【００１４】
そして、前記パネル体１をボールプランジャー２１と係合凹部２０で位置決めした高さ位置に固定するには、図７に示すように、前記縦枠部材６の凹溝８Ｃの底面に、前記係合凹部２０，…と等ピッチで係合孔２３，…を形成し、前記ガイド部１１の前面板１３の螺孔２４に螺合した回転把手付きの止めネジ２５を前記係合孔２３に嵌入する。この場合、前記縦枠部材６の凹溝８Ｃの底面に螺孔を形成し、ガイド部１１の前面板１３に通孔を形成し、該通孔内に止めネジ２５を抜止め且つ回転可能な状態で取付けても良い。
【００１５】
また、前記クランプ部材３は、図３、図４及び図７に示すように、前記ブラケット部材２を構成する支持部１０と一部機能を組み合わせて構成されている。つまり、前記支持部１０に天板Ｂ１の下面に当接する水平な受板２６を折曲形成するとともに、該受板２６に平行に天板Ｂ１を挟むように押圧片２７を折曲形成し、該押圧片２７に合成ゴム又は合成樹脂で成形された緩衝部材２８を抜止め且つ上下変位可能に嵌合し、回転把手付きの押圧ネジ２９を緩衝部材２８に形成した通孔３０に挿通し、前記押圧片２７の先端部に形成した螺孔３１に螺合し、押圧ネジ２９の把手２９Ａで押圧して前記緩衝部材２８を下方に変位させ、もって前記受板２６と緩衝部材２８とで天板Ｂ１を上下から挾持して固定するようにしている。
【００１６】
従って、本発明のデスクパネル装置Ａは、前述の如くクランプ部材３，３を用いてデスクＢの天板Ｂ１の後端部に取付け、天板Ｂ１の後方にパネル体１を立起状態で、前記ブラケット部材２，２によって縦枠部材６，６を上下スライド可能に保持されている。そして、前記止めネジ２５を緩めて係合孔２３から抜き、パネル体１を持って上下にスライド移動させると、ボールプランジャー２１が係合凹部２０に係合する毎にカチカチと音が発生するとともに、クリック感を手に受け、パネル体１を所定の高さでボールプランジャー２１が対応する係合凹部２０に係合した状態に維持しながら、前記止めネジ２５を螺合することによって係合孔２３に嵌入し、完全にパネル体１の上下移動を規制した状態で固定するのである。ここで、天板Ｂ１より上方に位置するパネル体１の上部は、デスクＢの前方に着座した使用者又はパネル体１の背後の他人の視線を遮る目隠しとなり、また天板Ｂ１より下方の位置するパネル体１の下部は、デスクＢの足入れ空間に対する幕板として機能するのである。尚、本実施形態では、前記ガイド部１１は、天板Ｂ１より上方に突出し、回転把手付きの止めネジ２５を天板Ｂ１より上位に設けたが、ガイド部１１を天板Ｂ１より下方に設定し、止めネジ２５も天板Ｂ１より下方に設けることも外観上好ましい。また、パネル体１とブラケット部材２との関係も、前記縦枠部材６を後方からガイド部１１で抱持するように前後逆の構造とすることも好ましい。
【００１７】
次に、第２発明のデスクパネル装置Ａを図８〜図１５に示した実施形態に基づき説明する。尚、第２発明の基本的な構造は第１発明と同様であるので、同一構成には同一符号を付してその説明は省略する。本実施形態のデスクパネル装置Ａは、パネル体１の高さ固定にラチェット機構を採用するとともに、ブラケット部材２を左右のガイド部１１，１１を一体化した構造としたものである。
【００１８】
即ち、前記ブラケット部材２は、支持部１０として長尺の杆体３２を用い、該杆体３２の両端に前記同様な断面略コ字形のガイド部１１，１１の上端部をネジ止め連結して構成した。そして、クランプ部材３は、前記杆体３２の両側部前面に前記同様な受板２６と押圧片２７とを備えた支持金具３３を固着し、該押圧片２７には前記同様に緩衝部材２８を嵌着するとともに、押圧ネジ２９を装着して構成した。
【００１９】
そして、パネル体１を所定の高さに維持するためのラチェット機構３４は、図９、図１１〜図１４に示すように、前記縦枠部材６の凹溝８Ｄの底面にネジ止め固定した係止部材３５と、前記杆体３２の端部に固定したホルダー３６に回動可能に取付けた係合爪３７とから構成されている。前記係止部材３５は、金属製の帯材を屈曲形成し、上下方向に一定間隔毎に水平な係合突起３８，…を形成するとともに、上端部に大きく突出したストッパー部３９と、下端部に前記係合突起３８よりも大きく突出した突台４０を形成したものである。また、前記ホルダー３６は、前記杆体３２の端部に略半分を嵌合するとともに、ネジ１６，１６にてガイド部１１と同時に杆体３２に固定する。そして、ホルダー３６には側方及び上方に開放した凹部４１を有し、該凹部４１内の下部に前後水平なピン４２によって、係合爪３７の下部を回動可能に枢支し、該ピン４２から立ち上がった状態に係合爪３７を設定する。尚、前記ピン４２の位置は、係合爪３７の先端がホルダー３６内の凹部４１の側壁に当止した際に、係合爪３７の立起状態を維持する準安定状態を実現するために若干外側に位置し、係合爪３７の重心がホルダー３６内の側壁側になるようにしている。
【００２０】
先ず、図１２は、前記係合爪３７の重心がピン４２よりも外側に位置し、その先端が係止部材３５に当接した傾斜状態となって、該係合爪３７の先端で何れかの係合突起３８を係止し、もって所定の高さにパネル体１を維持している状態である。それから、パネル体１を上方へスライド移動させると、係合爪３７は傾斜状態のまま下方の係合突起３８が該係合爪３７を通過し、所望の高さになった際にパネル体１から手を離すと、該係合爪３７がその直上の係合突起３８を係止するのである。このように、パネル体１を上昇させるには単に持ち上げるだけで高さを調節することが可能である。次に、パネル体１を降下させるには、パネル体１を最上方に持ち上げ、前記突台４０によって係合爪３７をホルダー３６の凹部４１内に押し込み、準安定な立起状態に維持する。この場合、突台４０の下端部に更に突出した当止部４３がホルダー３６の下端に当接して移動規制する。それから、前記係合爪３７が立起状態に維持されたままで、パネル体１を最下方へスライド移動させると、係止部材３５の上端のストッパー部３９が係合爪３７の先端に当接する。前記ストッパー部３９の下面は、前記係合爪３７の先端の傾斜面と略同一傾斜面としているので、ストッパー部３９が係合爪３７の先端に接触した後には、該ストッパー部３９によって係合爪３７が回動して側方へ傾斜状態に突出する。この状態でパネル体１から手を離せば、パネル体１を最も下がった状態に維持できる。更に、パネル体１を高くするには、前記同様にパネル体１を持ち上げれば良い。
【００２１】
本実施形態では、単にパネル体１を上下にスライド移動させるだけで、左右のラチェット機構３４，３４によって所定の高さに調節することができる。また、パネル体１をスライド案内する左右のガイド部１１，１１は杆体３２で連結されているので、ブラケット部材２の剛性が高まり、左右のラチェット機構３４，３４が同調して作動し、またスムーズにパネル体１をスライド案内することが可能である。
【００２２】
図１５は、第２発明における前記クランプ部材３の変形例であり、第１発明と同様に杆体３２を用いずに左右のクランプ部材３，３を独立させ、天板Ｂ１に取付けるようになしたものである。この場合、前記支持部１０とガイド部１１は同一部材で構成している。また、前記ホルダー３６は、ガイド部１１に隣接した支持部１０の背面に直接ネジ止めしている。
【００２３】
【発明の効果】
以上にしてなる本発明のデスクパネル装置は、任意のデスクの天板にクランプ部材を用いて簡単に取付け、天板の後方にパネル体を立起させることができ、しかもブラケット部材で上下スライド可能に支持されたパネル体の高さを調節することができ、所定の高さに設定したパネル体を確実に維持できるのである。また、パネル体は、縦枠部材の直交位置にある２条の凹溝とガイド部に互いに直交する軸で回転可能に設けた複数のローラとでガタつきなくスムーズに上下スライド移動させることができる。
【図面の簡単な説明】
【図１】第１発明のデスクパネル装置をデスク天板に取付け、パネル体を高く設定した状態の全体斜視図である。
【図２】同じくパネル体を低く設定した状態の全体斜視図である。
【図３】同じくパネル体とブラケット部材及びクランプ部材との関係を示す横断面図である。
【図４】同じくブラケット部材とクランプ部材の分解斜視図である。
【図５】同じくパネル体の縦枠部材とブラケット部材との関係を示す分解斜視図である。
【図６】同じくパネル体の縦枠部材とブラケット部材との関係を示す縦断面図である。
【図７】同じくパネル体をデスク天板に取付けた状態の縦断面図である。
【図８】第２発明のデスクパネル装置をデスク天板に取付け、パネル体を高く設定した状態の全体斜視図である。
【図９】同じくパネル体の縦枠部材とブラケット部材との関係を示す横断面図である。
【図１０】同じくブラケット部材とクランプ部材の関係を示す分解斜視図である。
【図１１】同じくラチェット機構を示す分解斜視図である。
【図１２】同じくラチェット機構によってパネル体を所定高さに維持した状態の部分縦断面図である。
【図１３】同じくパネル体を最上方に持ち上げた状態の部分縦断面図である。
【図１４】同じくパネル体を最下方に下げた状態の部分縦断面図である。
【図１５】ブラケット部材及びクランプ部材の変形例を示す分解斜視図である。
【符号の説明】
Ａ  デスクパネル装置      Ｂ  デスク
Ｂ１  天板
１  パネル体              ２  ブラケット部材
３  クランプ部材          ４  枠体
５  スクリーン素材        ６  縦枠部材
７  横枠部材              ８，８Ａ，８Ｂ，８Ｃ，８Ｄ  凹溝
９  パッキン材            １０  支持部
１１  ガイド部            １２  ガイド溝
１３  前面板              １４  外面板
１５  内面板              １６  ネジ
１７  ローラ              １８  螺孔
１９  支軸                ２０  係合凹部
２１  ボールプランジャー  ２２  螺孔
２３  係合孔              ２４  螺孔
２５  止めネジ            ２６  受板
２７  押圧片              ２８  緩衝部材
２９  押圧ネジ            ３０  通孔
３１  螺孔                ３２  杆体
３３  支持金具            ３４  ラチェット機構
３５  係止部材            ３６  ホルダー
３７  係合爪              ３８  係合突起
３９  ストッパー部        ４０  突台
４１  凹部                ４２  ピン
４３  当止部
【図１】
0003937619.tif 000002
【図２】
0003937619.tif 000003
【図３】
0003937619.tif 000004
【図４】
0003937619.tif 000005
【図５】
0003937619.tif 000006
【図６】
0003937619.tif 000007
【図７】
0003937619.tif 000008
【図８】
0003937619.tif 000009
【図９】
0003937619.tif 000010
【図１０】
0003937619.tif 000011
【図１１】
0003937619.tif 000012
【図１２】
0003937619.tif 000013
【図１３】
0003937619.tif 000014
【図１４】
0003937619.tif 000015
【図１５】
0003937619.tif 000016